(57)【特許請求の範囲】
【請求項１】
ＬＥＤチップ、内蔵電気抵抗、磁石、磁性材料、短冊型パッケージングホルダ及び電源を含むライン型ＬＥＤにおいて、ライン型ＬＥＤが短冊形とし、接続ホルダである金属棒ｂと金属棒ｃとの間に内蔵電気抵抗及びＬＥＤチップの収納ホルダが設置され、上部にある金属棒ａと金属棒ｂとは接続しており、下部にある金属棒ｃと金属棒ｄとは接続しており、金属棒ｂ及び金属棒ｃが内方に９０度に屈曲され、前記内蔵電気抵抗及びＬＥＤチップの収納ホルダの左右に折り目ｅ、ｆが設置され、折り目ｅ、ｆの外側に長方形金属片ｇ、ｈが設置され、長方形金属片ｇ、ｈが折り目に沿って内方に９０度に屈曲され、ＬＥＤパッケージングボウルを形成し、パッケージングボウル内の収納ホルダに内蔵電気抵抗が設置され、且つ金属線でＬＥＤチップを直列に接続し、ボウルにエポキシ樹脂をパッケージングし、エポキシ樹脂を固化させた後、両辺の長方形金属片ｇ、ｈを切断することで、ライン型ＬＥＤの両端にある接続ホルダ、即ち、金属棒ａ、ｂ及び金属棒ｃ、ｄを導通させないことを特徴とするライン型ＬＥＤ。
【請求項２】
前記接続ホルダである金属棒と、内蔵電気抵抗及びＬＥＤチップから構成されるＬＥＤライトとは、溶接または機械的差込口により接続され、或は導電接着剤により接着接続されることを特徴とする請求項１に記載のライン型ＬＥＤ。
【請求項３】
ライン型ＬＥＤの最小幅が２ｍｍ、最小発光間隔が３ｍｍ、単一のＬＥＤの電流が２０ｍＡ〜１Ａ、電圧が３〜２４Ｖとそれぞれなることを特徴とする請求項１に記載のライン型ＬＥＤ。
【請求項４】
ライン型ＬＥＤのパッケージング内に内蔵電気抵抗が設置されることを特徴とする請求項１に記載のライン型ＬＥＤ。
【請求項５】
ＬＥＤチップ及び内蔵電気抵抗が直列に接続され、全ての単一ＬＥＤと内蔵電気抵抗とで直列接続されてなるＬＥＤライト同士が並列接続されることを特徴とする請求項１に記載のライン型ＬＥＤ。
【請求項６】
磁石が導線の一端に固定され、導線の他端が電源と接続し、使用時に接続ホルダである金属棒ａ、ｂ及び金属棒ｃ、ｄに磁石を吸着させることで導電し、その吸着位置を接続ホルダに沿って設けることで、複数の電源投入点を形成することを特徴とする請求項１に記載のライン型ＬＥＤ。
【請求項７】
前記ライン型ＬＥＤは、パッケージングを完成した後、或は、前記接続ホルダである金属棒ａ、ｂ及び金属棒ｃ、ｄと、内蔵電気抵抗及びＬＥＤチップから構成されるＬＥＤライトとが、溶接或は機械的差込口により接続されたか或は導電接着剤により接着接続された後、透明のプラスチックチューブで被覆されることを特徴とする請求項１に記載のライン型ＬＥＤ。
【請求項８】
前記内蔵電気抵抗が少なくとも一つ配置され、前記ＬＥＤチップが少なくとも一つ配置されることを特徴とする請求項１に記載のライン型ＬＥＤ。
【請求項９】
前記接続ホルダの全部或は一部が磁性金属材料により構成されることを特徴とする請求項１に記載のライン型ＬＥＤ。
【発明の詳細な説明】
【技術分野】
【０００１】
本発明はＬＥＤのパッケージング技術及び運用技術分野に関し、具体的にはライン型ＬＥＤに関する。
【背景技術】
【０００２】
ライン型ＬＥＤは繊細・器用で、最小幅が２ｍｍ、厚さが１〜２ｍｍ、発光間隔が最小で３ｍｍとなり、可撓性性が良く、三元次空間に任意に屈曲でき、長さが任意に切断でき、必要により使用され、任意に接続でき、使用効果に影響しなく、タイムリーポストのよりに必要な箇所に張り付けられ、非常に便利する。
【０００３】
中国特許ＣＮ２０１６８８２３０Ｕには、主導線可撓性回路基板、ＬＥＤ積載回路基板、ＬＥＤライトを含むＬＥＤストリップを開示し、ＬＥＤ積載回路基板は主導線可撓性回路基板の辺縁と一体にさせる可撓性回路基板であり、該回路基板の可撓性特徴を利用し、主導線可撓性回路基板の辺縁を軸心とする回転屈曲を実現し、このような回転屈曲の効用は、ＬＥＤライト照射方向の変更に体現し、主導線可撓性回路の可撓性特徴を利用し、平面での主導線可撓性回路の回転屈曲を実現でき、このような回転屈曲の効用がＬＥＤストリップ造型の変更に体現するが、ＬＥＤストリップの回転屈曲が十分に困難であり、ＬＥＤライト回転角度による影響を受け、特にＬＥＤライトが０°〜９０°に回転して順方向に保持させて正面で発光する場合、ストリップの造型変化が極大の局限性を備える。また、回路基板積載ＬＥＤ及び電子部品を採用するので、どのような角度に屈曲できなく、且つ任意に切断できない。
【発明の概要】
【０００４】
本発明の目的は、従来の技術及びパッケージング構造を改進することで、三元次空間に任意に屈曲でき、長さが任意に切断でき、取付接線が極め便利し、特殊の極小な取付位置に用いられ、文字及び図形に彎曲でき、且つ室内外に使用される実用して便利する信頼可能なライン型ＬＥＤの構造及びパッケージング方法を提供することにある。
【０００５】
前記目的を実現する為に、ＬＥＤチップ、内蔵電気抵抗、磁石、磁性材料、短冊型のパッケージングホルダ及び電源を含むライン型ＬＥＤを設計する，ＬＥＤチップ、内蔵電気抵抗、磁石、磁性材料、短冊型パッケージングホルダ及び電源を含むライン型ＬＥＤにおいて、ライン型ＬＥＤが短冊形とし、接続ホルダである金属棒ｂ及び金属棒ｃとの間に内蔵電気抵抗及びＬＥＤチップの収納ホルダが設置され、上部にある金属棒ａと金属棒ｂとが接続させ、下部にある金属棒ｃと金属棒ｄとが接続させ、接続ホルダである金属棒ａ、ｂ及び金属棒ｃ、ｄが単一の短冊金属片或は複数本の金属細線構造とし、前記接続ホルダの全部或は一部が磁性金属材料により構成され、金属棒ｂ及び金属棒ｃが内方に９０度に屈曲され、前記内蔵電気抵抗及びＬＥＤチップの収納ホルダの左右に折り目ｅ、ｆが設置され、折り目ｅ、ｆの外側に長方形金属片ｇ、ｈが設置され、長方形金属片ｇ、ｈが折り目に沿って内方に９０度に屈曲され、ＬＥＤパッケージングボウルを形成し、パッケージングボウル内のホルダに内蔵電気抵抗が設置され、且つ金属線でＬＥＤチップを直列に接続し、ボウルにエポキシ樹脂をパッケージングし、エポキシ樹脂を固化させた後、両辺の長方形金属片ｇ、ｈを切断することで、ライン型ＬＥＤの両端にあるホルダ、即ち、金属棒ａ、ｂ及び金属棒ｃ、ｄを導通させなく、磁石が導線の一端に固定され、導線の他端が電源と接続し、運用中で前記ホルダに磁石により電源接線を吸着導入することを特徴とするライン型ＬＥＤ。
【０００６】
ライン型ＬＥＤの横断面形状である近似長方形が、正方形又は円形又はＨ型、Ｌ型、Ｔ型、Ｙ型又は楕円形又は幾何形状に取替される。
【０００７】
ライン型ＬＥＤの最小幅が２ｍｍ、最小発光間隔が３ｍｍ、単一のＬＥＤの電流が２０ｍＡ〜１Ａ、電圧が３〜２４Ｖとそれぞれなる。
【０００８】
ライン型ＬＥＤのパッケージング内に内蔵電気抵抗が設置される。
【０００９】
ＬＥＤチップ及び内蔵電気抵抗が直列に接続され、全ての単一ＬＥＤと内蔵電気抵抗とで直列接続されてなるＬＥＤライト同士が並列接続される。
【００１０】
前記内蔵電気抵抗が少なくとも一つ配置され、前記ＬＥＤチップが少なくとも配置される。
【００１１】
ライン型ＬＥＤの正面或は反面或は両側に透明のステッカーが設置される。本発明は更に以下のライン型ＬＥＤの製造方法を含むことを特徴とする。
【００１２】
（ａ）ライン型のホルダ構造形状を設計し、折り目、内蔵電気抵抗及びＬＥＤチップ収納ホルダの形状構造を設置、ライン型ホルダの二側接続ホルダの全部或は一部が磁性材料により構成される。
【００１３】
（ｂ）金属棒ｂ、金属棒ｃが９０度に屈曲する。
【００１４】
（ｃ）内蔵電気抵抗及びＬＥＤチップの収納ホルダの両旁長方形金属片が折り目に沿って９０度に屈曲し、ＬＥＤパッケージングボウルの構造を形成する。
【００１５】
（ｄ）内蔵電気抵抗の一極にボウル内ホルダの一辺が接続された後、他方極が金属線でＬＥＤチップに直列に接続し、チップの他方の極がホルダの他方辺に接続し、ボウル内にエポキシ樹脂をパッケージングする。
【００１６】
（ｅ）エポキシ樹脂が固化された後、両辺の長方形金属片ｇ、ｈを切断し、ライン型ＬＥＤの両端にあるホルダである金属棒ａ、ｂ及び金属棒ｃ、ｄが導通させない。
【００１７】
（ｆ）ライン型ＬＥＤの接続ホルダである金属棒ａ、ｂ及び金属棒ｃ、ｄに、複数の箇所に電源接線を引出でき、電源の投入が便利にして信頼で、接続ホルダの断面積が小さく、電流が大き過ぎがか及び低電圧直流電による電圧低下問題を直接的に解決し、且つ一箇所の断線或は何れかの部品の損壊による一部が点亮しない現象を回避する。
【００１８】
（ｇ）ライン型ＬＥＤのパッケージングを完成した後、或は磁性接続ホルダである金属棒ａ、ｂ及び金属棒ｃ、ｄと、内蔵電気抵抗及びＬＥＤチップから構成されるＬＥＤライトとが、溶接或は機械的差込口で接続されたか、或は導電性接着剤で接着接続された後、透明のプラスチックチューブで被覆される。
【００１９】
（ｈ）必要な面に透明のステッカーを放置する。
【００２０】
本発明は、緑色・環境保護品となる革新製品であり、新型広告の高輝度化材料とし、ＬＥＤライト条、ＬＥＤモジュール、霓虹灯、タイムリーポスト等の材料の改進或はパージョンアップ代替品としても良い。その使用が簡便で、手間が省け、広告効果が良い。また、運用面が幅広く、例えば門、窓ガラス或は写真噴射絵画に張り付け、発光の店口、門牌字或は舞台背景の発光字体、図案、ｌｏｇｏ等としても良い。ホテル、マーケット等の公共場合の発光表示灯、標識や、特殊ライトボックスの背光照明（例えば、真正な超薄厚さ２〜３ｃｍのライトボックス、巻き携帯式ライトボックス等）に使用でき、水晶シャンデリア、種々の芸術灯具、室内装飾照明や、特定の発光字（例えば細筆画発光字、図案、ｌｏｇｏ或は小形の発光字等）に利用でき、更に特殊の或は極小に取付される位置の光照及びさまざまな/種々の特定要求の照明に用いられる。本発明の密封性が良く、室内外に用いられ、ことができるさまざまな文字、図案或はｌｏｇｏに弯成、装飾、広告に用いられるよく、も可として光源、に用いられる/ためのライトボックス、発光字、灯具及びさまざまな/種々の照明灯具。
【図面の簡単な説明】
【００２１】
【図１】本発明によるホルダ展開図である。
【図２】本発明によるＬＥＤパッケージングボウルを形成する見取図である。
【図３】本発明によるエポキシ樹脂を固化した後、両辺長方形金属片ｇ、ｈを切断した見取図である。
【図４】本発明の磁石に固定される導線の一端見取図である。
【図５】使用中で導線が溶接された磁石が内蔵電気抵抗及びＬＥＤチップ灯を有する接続ホルダに吸着される見取図である。
【発明を実施するための形態】
【００２２】
図面を結合して本実用新案についてより一層説明し、このような装置の製造技術は当業者にとってよく分かる。
【００２３】
ライン型ＬＥＤは、新しいパッケージング形式を採用して、即ち、ホルダにより接続することでワンウェイ連続の線形パッケージングになる。作成されるＬＥＤ形状も、新しい形式である連続の線線形（現在、全てのパッケージング形式が、単一のＬＥＤ及び組合のＬＥＤの二種形式だけ）であり、このような形式のパッケージングを実現する為に、以下の新しいホルダ構造及びパッケージングプロセスを運用しなければならない。
【００２４】
１.フレームの展開（図１のように示す）：ライン型ＬＥＤが短冊形とし、接続ホルダである金属棒ｂと金属棒ｃとの間に内蔵電気抵抗及びＬＥＤチップの収納ホルダが設置され、上部にある金属棒ａと金属棒ｂとが接続させ、下部にある金属棒ｃと金属棒ｄとが接続させ、接続ホルダ金属棒ａ、ｂ及び金属棒ｃ、ｄも単一の短冊金属片或は複数本の金属細線構造として良く、前記接続ホルダの全部或は一部が磁性材料により構成され、内蔵電気抵抗及びＬＥＤチップの収納ホルダの左右に折り目ｅ、ｆが設置され、折り目ｅ、ｆの外側に長方形金属片ｇ、ｈが設置され、内蔵電気抵抗の数値、ＬＥＤチップの型式及び大きさ、収納ホルダの形状構造は異なる必要により単独に設計され、ここでその位置を模式図示される。
【００２５】
２.図２の示すように、金属棒ｂ及び金属棒ｃを内方に９０度に折り、内蔵電気抵抗及びＬＥＤチップ収納ホルダの両旁長方形金属片ｇ、ｈを折り目ｅ、ｆに沿って内方に９０度を折り、ＬＥＤパッケージング「ボウル」を形成する。
【００２６】
３.図３の示すように、「ボウル」内に、ホルダが放置されて内蔵電気抵抗（抵抗値が各型式ＬＥＤにより計算されて設定）と接続する後、金属線でＬＥＤチップを直列に接続し、チップが他方のホルダに直列に接続され、「ボウル」内にエポキシ樹脂をパッケージングし、固化した後に一部を切り、二辺を切断して導通させない。
【００２７】
４.ライン型ＬＥＤは、パッケージングされた後、或は磁性接続ホルダと、内蔵電気抵抗及びＬＥＤチップから構成されるＬＥＤライトとが、溶接或は機械的差込口で接続されたか或は導電性接着剤で接着接続された後、透明のプラスチックチューブにより被覆される。
【００２８】
５.必要な面に透明のステッカー（ガラスに張り付けされるものが、正面で貼り付けられ、ガラスを透過して発光し、直接的に必要な箇所に貼り付けるものが、反面で正面に張り付けられて直接的に発光する）を放置し、且つパッケージングされたＬＥＤと共に鋳型内にシリコングルーで密封され、或は透明のプラスチックチューブで被覆される。
【００２９】
６.使用時、導線が溶接された磁石により接続ホルダに吸着され、多箇所で電源接線を導入するので、電源の投入が便利し、接続ホルダの断面積が小さく電流が大き過ぎるか及び低電圧直流電による電圧低下題を直接的に解決し、同時にも一箇所で断線するか、或は何れかの部品の損壊による一部が点亮しない現象を回避する。
【００３０】
これにより、新しいパッケージング形式（ワンウェイ連続線形パッケージング）になり、新しいＬＥＤ形状（連続線形、任意屈曲、精細繊細、任意断接、磁吸接線、便利・信頼可能）で多くの新しい分野に運用され、より多い新型製品を製造できる。
【実施例１】
【００３１】
例えばホテル、マーケット等の公共場合の発光表示灯、標識、全透明のガラス或はアクリルに用いられ、表示灯及び標識の字或は図案が閃閃に発光し、その他の部分が透明し、夢幻に空中にある表示灯及び標識の字或は図案が発光し、非常に目立ち、美観になる。ホテル、マーケット或は通常の店口、商店のガラス門・ガラス壁にあるに用いられる警告ステッカーとして、現在、タイムリーポストを使用する。本発明製品に交換することにより、より美観になり、警告効果が強くなり、且つｌｏｇｏ或は他の広告文字図案を作成し、更に視覚衝撃力の強い広告効果を奏する。
【００３２】
この用途製品が大体に遠視されるため、線条が細く、発光間隔が一般的であり、パワーが大きくないが明るくするため、幅３ｍｍ、発光間隔６ｍｍ、電流２０ｍＡ、パワー０.０６ｗのカラーＬＥＤを採用する。
【００３３】
フレーム構造が図２のように示し、常用の５ｖ電圧を使用するため、内に置電気抵抗１５０欧、ＬＥＤチップと直列に接続し、エポキシ樹脂をパッケージングした後、二辺を切断し、透明のプラスチックチューブで被覆し、正面にステッカー（ガラスに貼り付け、発光がガラスを透過できる）を接着する。
【００３４】
ＬＥＤに所要する電流が２０ｍＡのみであり、且つ長さが一般的に長くないため、その二端部には正負極が合致するように導線が固定された磁石を吸着し、且つリードが５ｖ直流電源に接続すれば良い。
【００３５】
この発明によるステッカーは、反面に接着することで、噴射絵画或は写真に使用でき、例えば会務、展覧等の大型の噴射絵画布に張り付けられた後、その上に発光字或は図案を形成し、元の噴射絵画或はタイムリーポストの店名看板に貼り付けられた後、発光字の看板を形成し、便利して美観になるだけでなく、更にアクリルの発光字よりも安くなり、より省エネルギー・環境保護になる。
【実施例２】
【００３６】
以上の実施例１に基づき、ＬＥＤが白色（或は他の色、型式）に変えられ、間隔が３-４ｍｍに縮小させ、水晶シャンデリアに利用できる。これを水晶シャンデリアの水晶部品（例えば水晶ボールの半球部の一部に貼り付ける）に貼り付け、電源リードとしてエナメル線を使用し、金属ハンガーと同じ色（例えば金色、銀色）を塗る。このように作製される水晶シャンデリアの光線は水晶を透過して発射するので、各水晶ペンダントが鮮やかに輝いて、目映く、とても素敵であり、寿命が長く、電力を節約して環境を保護し、電球の検査・交換等の煩瑣事を免除し、更にユーザの需要により様々な色灯光、ひいては色鮮やかな変幻光の水晶シャンデリアを作製できる。
【００３７】
このような運用は多く、例えば精致漂亮の工芸品には、巧妙にライン型ＬＥＤを貼り付け、完美な芸術装飾品になり、照明台灯でもあり、美観になり実用し、このような運用が多い。
【符号の説明】
【００３８】
ａ、ｂ、ｃ、ｄ  金属棒
ｅ、ｆ  折り目
ｇ、ｈ  長方形金属片
ｉ  磁石
ｊ  導線
【図１】
0005775642.tif 000002
【図２】
0005775642.tif 000003
【図３】
0005775642.tif 000004
【図４】
0005775642.tif 000005
【図５】
0005775642.tif 000006